(57)【要約】【課題】エレメントがブームに強固に保持されるアンテナを提供する。【解決手段】円筒状のブーム２と、該ブーム２の径方向に形成された貫通孔８に夫々挿通された複数の円筒状エレメント３とからなるアンテナ１において、円筒状のブーム２に、他の部分よりも肉厚となる肉厚部７を軸方向に沿って形成し、ブーム２の貫通孔８をブーム２の肉厚部７に形成するとともに、該貫通孔８の孔形を略長円形状とし、さらに、エレメント３の内空部に、ブーム２の貫通孔８に挿通された部分に膨張杆５が挿入されており、前記膨張杆５が拡径されて、波及的に該膨張杆５周囲のエレメント３が外方へ変形したことにより、貫通孔８の内周縁に当接する当接部４ａと、該当接部４ａに隣接する、貫通孔８の孔形よりも外形が大きい係止部４ｂとからなる径大係止部４がエレメント３に形成されている構成とした。【選択図】図４
0003136592.tif 000002
【実用新案登録請求の範囲】
【請求項１】
径方向に貫通する貫通孔が、軸方向に沿って複数形成された円筒状のブームと、
該ブームの貫通孔に夫々挿通されて、ブームの軸方向に対して略直交状に列設された複数の円筒状エレメントとからなるアンテナにおいて、
円筒状のブームには、他の部分に比して肉厚な肉厚部が、軸方向に沿って形成されており、
ブームの貫通孔は、その孔形が略長円形状で、且つ、ブームの前記肉厚部を貫通しており、
エレメントの内空部には、ブームの貫通孔に挿通された部分に膨張杆が挿入されており、
前記膨張杆が拡径されて、波及的に該膨張杆周囲のエレメントが外方へ変形したことにより、貫通孔の内周縁に当接する当接部と、該当接部に隣接する、貫通孔の孔形よりも外形が大きい係止部とからなる径大係止部がエレメントに形成されていることを特徴とするアンテナ。
【請求項２】
円筒状のブームは、その外周縁の断面が略真円形状をなしているとともに、その内周縁の断面が、円の両端を直線状に切り落とした形状をなしており、ブームの前記肉厚部は、内周縁の該切り落とし部分と外周縁との間に形成されていることを特徴とする請求項１記載のアンテナ。
【請求項３】
前記膨張杆は中実状杆材よりなることを特徴とする請求項１又は請求項２に記載のアンテナ。
【考案の詳細な説明】
【技術分野】
【０００１】
本考案は、屋外に設置されて、テレビ電波の受信等を行うアンテナに関する。
【背景技術】
【０００２】
テレビ電波等の受信を行う屋外用のアンテナは良く知られている。かかる屋外用のアンテナＡは、アルミニウム等の金属材料からなり、図１０に示されるように、筒状のブームａと、このブームａに形成された複数の貫通孔に挿通してブームａの軸方向に略直交させた複数の杆状のエレメントｂとからなる構成が一般的である。かかる構成にあって、各エレメントｂをブームａに離脱不能に保持する手段として、ブームａとエレメントｂとを、相互に交わる箇所ごとにビスｃで止めて相互を螺着する方法が一般的に普及している。
【０００３】
ここで、上述の構成はビス止め作業が煩わしい等の理由から生産性に問題があるため、本考案者は、既にビスを用いないアンテナを提案済みである（特許文献１参照。）。
【０００４】
【特許文献１】特開２００４−２６０６５１号公報
【考案の開示】
【考案が解決しようとする課題】
【０００５】
しかしながら、上記特許文献１記載の構成は、ブームの貫通孔と、該貫通孔に挿通されたエレメントとを密接させているものの、貫通孔の断面が略真円であるため、経時的にそれらの圧接状態が緩み、エレメントがその周方向に回転しやすいという問題があった。
【０００６】
この問題に対して、ブームの貫通孔を略長円形状として、エレメントがその周方向に回転するのを防止することが提案される。しかしながら、貫通孔とエレメントを略長円形状とした場合、略真円の場合に比べて、製造時に貫通孔とエレメントの間に隙間が生じ易いため、がたつきが起き易く、また、電波ののりが悪くなるという問題があった。
【０００７】
本考案は、かかる現状に鑑みてなされたものであり、エレメントがブームに強固に保持されるアンテナを提供することを目的とする。
【課題を解決するための手段】
【０００８】
本考案は、径方向に貫通する貫通孔が、軸方向に沿って複数形成された円筒状のブームと、該ブームの貫通孔に夫々挿通されて、ブームの軸方向に対して略直交状に列設された複数の円筒状エレメントとからなるアンテナにおいて、円筒状のブームには、他の部分よりも肉厚となる肉厚部が、軸方向に沿って形成されており、ブームの貫通孔は、その孔形が略長円形状で、且つ、ブームの前記肉厚部を貫通しており、エレメントの内空部には、ブームの貫通孔に挿通された部分に膨張杆が挿入されており、前記膨張杆が拡径されて、波及的に該膨張杆周囲のエレメントが外方へ変形したことにより、貫通孔の内周縁に当接する当接部と、該当接部に隣接する、貫通孔の孔形よりも外形が大きい係止部とからなる径大係止部がエレメントに形成されていることを特徴とするアンテナである。ここで、本考案における「略長円形状」とは、楕円形状に限らず、横長な円形状や縦長な円形状、長方形の角を丸めた形状等を含む。
【０００９】
かかる構成にあっては、ブームの貫通孔が略長円形状であり、且つ、エレメントの径大係止部の当接部が該貫通孔の内縁に当接しているため、エレメントはその周方向に回転することなくブームに保持される。また、該当接部に隣接する位置には、貫通孔の孔形よりも外形が大きい係止部が形成されているため、エレメントはその軸方向に移動することなくブームに保持される。ここで、貫通孔はブームの肉厚部を貫通しているため、肉厚部の厚み分だけ、エレメントの径大係止部とブームの貫通孔との接触面積が増加しているから、本考案では、両者の間に多少隙間が生じたとしても、径大係止部と貫通孔の内周縁の間に十分な接触面積が確保することができる。したがって、本考案によれば、エレメントをがたつかせることなくブームに保持できるし、受信波がエレメントとブームの接触部分で劣化するのを防止できる。
【００１０】
本考案において、円筒状のブームは、その外周縁の断面が略真円形状をなしているとともに、その内周縁の断面が、円の両端を直線状に切り落とした形状をなしており、ブームの前記肉厚部は、内周縁の該切り落とし部分と外周縁との間に形成されている構成が提案される。かかる構成にあっては、ブームの周縁に大きな凹凸を設けることなく肉厚部が形成されるため、エレメントの径大係止部の圧力がブーム全体に均等に伝わることとなり、該圧力に対して肉厚部が変形し難く、ブームの貫通孔にエレメントを強固に保持可能となる。また、ブームの体積を大きく増加させることなく肉厚部を形成できるため、アンテナの重量の増加を最小限に留めることができるという利点もある。また、ブームの外周縁の断面は、従来と変わらぬ略円形状をなしているから、肉厚部の形成によってアンテナの外観が損なわれることもない。
【００１１】
また、本考案において、前記膨張杆は中実状杆材よりなる構成が提案される。膨張杆が中空状杆材よりなる従来構成では、経時変化等によって拡径した膨張杆が縮径方向に変形し易く、密接した径大係止部と貫通孔が緩み易いが、本構成では、膨張杆が中実状であるため、経時変化等によって膨張杆が縮径方向に変形し難く、径大係止部と貫通孔との圧接状態を長期間維持できる。
【考案の効果】
【００１２】
以上に述べたように、本考案のアンテナにあっては、エレメントが、その周方向に回転することなく、且つ、その軸方向に移動することなくブームに保持される。特に、本考案では、エレメントの径大係止部とブームの貫通孔との接触面積が、肉厚部の厚み分だけ増加しているため、両者の間に多少隙間が生じたとしても、十分な接触面積を確保することができる。したがって、本考案によれば、エレメントをがたつかせることなくブームに保持できるし、受信波がエレメントとブームの接触部分で劣化することもない。また、本考案のアンテナは、従来構成よりも径大係止部と貫通孔の寸法精度を緩やかにできるため、生産効率が高く、大量生産に適する。
【考案を実施するための最良の形態】
【００１３】
本考案にかかるアンテナの実施形態を、以下の実施例によって説明する。
実施例のアンテナ１は、図１に示されるように、該ブーム２を径方向に貫通する複数の貫通孔８を有する円筒状のブーム２と、該貫通孔８に夫々挿通された筒状のエレメント３とからなる。前記貫通孔８は、ブーム２の両側に対向するように形成され、且つ、ブーム２の軸方向に沿って等間隔に列成されており、各エレメント３は、ブーム２の軸方向と略直交するように貫通孔８に挿通され、軸方向に沿って列設されている。
【００１４】
ブーム２は、アルミニウムを押出成形してなるものであり、長さ675 mmの円筒形状を呈している。図１〜３に示すように、ブーム２の外周縁の断面は外径22 mmの真円形状をなしているが、ブーム２の内周縁の断面は、円の両端を直線状に切り落とした形状をなしており、ブーム２は、当該内周縁の切り落とし部分と外周縁の間に、他の部分よりも肉厚な肉厚部７，７が形成されている。具体的には、ブーム２の他の部分の厚みが0.9 mmであるのに対し、肉厚部７の最も肉厚な部分は2.5 mmとなっている。この肉厚部７はブーム２の全長に亘っている。前記貫通孔８は、図２，３に示すように、ブーム２の肉厚部７を貫通するように形成されており、ブーム２の軸方向に長尺な長円形状をなしている。各貫通孔８は、ブーム２の軸方向に沿って二列に並ぶよう等間隔に形成されている。また、夫々の列の貫通孔８がブーム２の中心を挟んで相互に対をなしている。
【００１５】
各エレメント３は外径8 mm、内径7 mm、長さ155 mmの、両端が開口した円筒状を呈している。図４に示すように、ブーム２の貫通孔８周辺に位置するエレメント部分には、前記したエレメント３の外径Ｄ（8 mm）よりも径大となった径大係止部４が形成されており、エレメント３は、かかる径大係止部４により、ブーム２に離脱不能に保持されている。
【００１６】
径大係止部４について詳述すると、図４，５に示すように、本実施形態例にかかる径大係止部４は、貫通孔８の内周縁に当接する当接部４ａと、ブーム２の外側で当接部４ａに隣接する、貫通孔８の孔形よりも外形が大きい係止部４ｂとで構成される。かかる構成によれば、当接部４ａが略長円形状の貫通孔８の内周縁と強く当接することにより、エレメント３がブーム２に対して回転不能に係止され、また、貫通孔８の孔形よりも外形が大きい係止部４ｂが当接部４ａに隣接して形成されているため、エレメント３はブーム２に対して軸方向に移動しないよう係止されることとなる。なお、図４，５に示されるエレメント３の内空部には、アルミ製の膨張杆５が挿入されている。この膨張杆５については後述する。
【００１７】
次に、アンテナ１の製造方法について説明する。
まず、ブーム２に形成された貫通孔８に、両端が開口された筒状のエレメント３を挿通する。貫通孔８は、ブーム２の軸方向に列成されており、挿通されたエレメント３はブーム２に対して略直交状となる。かかる時点では、エレメント３に上述の径大係止部が形成されておらず、エレメント３はブーム２に対して保持されず、軸方向に移動可能であり、また、その周方向にも回転可能な状態にある。
【００１８】
次に、ブーム２にエレメント３が挿通された状態で、エレメント３の一側の開口部から、図６に示されるような単一の膨張杆５をエレメント３の内空部に挿入する。この膨張杆５は円柱状をなす短尺な中実状杆材であって、その外径はエレメント３の内径と略一致している。具体的には、膨張杆５の外径を6.8 mmとしている。また、全長は、ブーム２の外径よりも長く設定されており、具体的には24 mmとしている。また、膨張杆５の材料は純アルミニウムが採用されている。
【００１９】
そして次に、図７イに示されるように、エレメント３の両端から突状のポンチｘ，ｘを挿入する。ここで、このポンチｘの先端部ｘ１の外径は、前記膨張杆５の外径よりも小さく、該先端部ｘ１からポンチ主軸部ｘ２にかけて、ポンチｘの外径は徐々に拡大しており、膨張杆５の端部が拡径方向に膨張し易いようになっている。
【００２０】
そしてさらに、油圧装置等を用いて、両ポンチｘを中央に走行させて、図７ロに示されるように、膨張杆５の両端が共にブーム２外となる位置でポンチｘによって膨張杆５の両端を挟み込むようにして、中央方向に押圧する。このように、膨張杆５の両端をポンチｘによって押圧すると、膨張杆５の両端部がポンチｘに押し潰されるように変形して拡径することとなる。そして、この膨張杆５の拡径に伴って、膨張杆５の周囲のエレメント３が波及的に外方へ変形する。そして、この変形部は、貫通孔８の内周縁に圧接するともに、貫通孔８の外側で貫通孔８の孔形よりも大きくなることにより、上述の径大係止部４を形成する。すなわち、図４ロに示される径大係止部４のうち、貫通孔８の内周縁に圧接した部分が当接部４ａとなり、ブーム２外で貫通孔８の孔形よりも大きく変形した部分が係止部４ｂとなる。そして、図７ハに示されるように、径大係止部４が形成された位置で、ポンチｘをエレメント３から抜き出す。これにより、図８に示されるように、エレメント３が、径大係止部４によってブーム２の貫通孔８に強固に保持されたアンテナ１が得られる。
【００２１】
以上のように、本実施例のアンテナ１にあっては、ブーム２の貫通孔が略長円形状であり、且つ、エレメント３の径大係止部４の当接部４ａが該貫通孔８の内縁に当接しているため、エレメント３はその周方向に回転することなくブーム２に保持される。また、該当接部４ａに隣接する位置に、貫通孔８の孔形よりも外形が大きい係止部４ｂが形成されているため、エレメント３はその軸方向に移動することなくブーム２に保持される。
【００２２】
また、ブーム２には肉厚部７が形成され、貫通孔８が該肉厚部７を貫通する構成であるため、径大係止部４と貫通孔８の内周縁との接触面積が肉厚部７の厚み分だけ増加している。このため、径大係止部４と貫通孔８の間に多少隙間が生じたとしても、エレメント３はがたつくことなく保持されるし、受信波がエレメント３とブーム２の接触部分で劣化することもない。また、かかるアンテナ１は、製造時に多少の隙間が許容されるため、従来よりも、径大係止部４と貫通孔８の寸法精度を緩やかにでき、大量生産に適する。
【００２３】
また、実施例のアンテナ１は、ブーム２の外周縁の断面が略真円形状をなしているとともに、ブーム２の内周縁の断面が、円の両端を直線状に切り落とした形状をなしており、ブーム２の肉厚部７は、内周縁の該切り落とし部分と外周縁との間に形成されている構成となっている。かかる構成では、ブーム２の周縁に突部を設けることなく肉厚部７が形成されているため、エレメント３の径大係止部４の圧力に対して肉厚部７が変形し難く、ブーム２の貫通孔８にエレメント３を強固に保持できる。また、肉厚部７をかかる構成とすれば、アンテナの重量の増加を最小限に留めることができる。また、肉厚部７はブーム２の内空部側に厚みを増すことによって形成されているため、肉厚部７の形成によってブーム２の外観が損なわれることもない。
【００２４】
また、実施例のアンテナ１は、膨張杆５は中実状杆材よりなる構成であるため、経時変化等によって膨張杆５が縮径方向に変形し難く、径大係止部４と貫通孔８との圧接状態を長期間維持できるという利点がある。
【００２５】
なお、本考案におけるアンテナは、上記実施例の形態に限らず本考案の要旨を逸脱しない範囲内において種々変更を加えることができる。例えば、図９に示されるように、径大係止部４の係止部４ｃをブーム２の内側に形成して、エレメント３をブーム２に保持する構成としても良い。かかるアンテナ１ａを製造する場合には、全長がブーム２の外径と略等しい単一の膨張杆（図示省略）をエレメント３の内空部に挿入し、膨張杆５がブーム２内にある位置で、ポンチｘを膨張杆５に圧入する。これにより、ブーム２内の膨張杆５及びその周囲のエレメント部分だけ変形することとなり、ブーム２の内側にのみ係止部４ｃが形成されることとなる。かかる構成にあっては、径大係止部４がブーム２の外側からは視認されないため、見た目のよいものとなる。また、同様に、径大係止部４の係止部をブーム２の内外両方に形成しても構わない。かかる構成にあっては、エレメントをブームにより強固に保持することが可能となる。
【００２６】
また、ブーム２とエレメント３の各寸法、材料、及びブーム２とエレメント３のなす角度等は、適宜変更し得る。また、膨張杆５の寸法は、エレメント３の寸法に対応して適宜変更可能である。また、膨張杆５の材料についても適宜変更できる。
【図面の簡単な説明】
【００２７】
【図１】アンテナ１の斜視図である。
【図２】ブーム２の側面図である。
【図３】図２におけるＡ−Ａ断面図である。
【図４】貫通孔８部分を縦断して示す、アンテナ１の縦断面図である。
【図５】イはブーム２の側面図であり、ロはアンテナ１の側面図である。
【図６】膨張杆５の斜視図である。
【図７】アンテナ１の製造方法を示す説明図である。
【図８】貫通孔８周辺の拡大断面図である。
【図９】貫通孔８部分を縦断して示す、変形例のアンテナ１ａの縦断面図である。
【図１０】従来構成のアンテナＡの斜視図である。
【符号の説明】
【００２８】
１，１ａ アンテナ
２  ブーム
３  エレメント
４  径大係止部
４ａ  当接部
４ｂ，４ｃ  係止部
５  膨張杆
７  肉厚部
８  貫通孔
【図１】
0003136592.tif 000003
【図２】
0003136592.tif 000004
【図３】
0003136592.tif 000005
【図４】
0003136592.tif 000006
【図５】
0003136592.tif 000007
【図６】
0003136592.tif 000008
【図７】
0003136592.tif 000009
【図８】
0003136592.tif 000010
【図９】
0003136592.tif 000011
【図１０】
0003136592.tif 000012